(57)【要約】  【課題】閉時のシールが確実で、温度制御の信頼性が高く、かつ小型で安価なダンパー装置を提供する。  【解決手段】開口部５を有する樹脂製のフレーム４と、開口部５を開閉するバッフル７と、バッフル７を駆動する駆動部２を具備したダンパー装置１において、フレーム４を、少なくとも開口部５を形成する板状の開口形成部６と、開口形成部６の相対する縁に設けられた側壁４ａ，４ｃを具備する構成とし、側壁４ａ，４ｃは、所定幅の板状であって、幅の略中央部において開口形成部６の縁が接続され、金型成型に伴う変形を抑制したダンパー装置１としたものである。【選択図】図４
2008309409.tif 000002
【特許請求の範囲】
【請求項１】
開口部を有する樹脂製のフレームと、前記開口部を開閉するバッフルと、前記バッフルを駆動する駆動部を具備したダンパー装置において、前記フレームを、少なくとも前記開口部を形成する板状の開口形成部と、前記開口形成部の相対する縁に設けられた側壁を具備する構成とし、前記側壁は、所定幅の板状であって、幅の略中央部において前記開口形成部の縁が接続されているダンパー装置。
【請求項２】
前記開口部を長手と短手を有する矩形とし、開口形成部に、前記側壁と平行であって前記開口部の長手方向に延びるリブを設けた請求項１に記載のダンパー装置。
【請求項３】
前記リブを、少なくとも前記開口部の三辺を囲むように設けた請求項２に記載のダンパー装置。
【請求項４】
前記開口形成部における直交する前記側壁によって形成される角部に、前記角部を含み略三角形の空間を形成する角リブを設けた請求項１から３のいずれか一項に記載のダンパー装置。
【請求項５】
前記角リブの略中央に前記リブの一端が接続される構成とした請求項４に記載のダンパー装置。
【請求項６】
前記リブを、前記開口形成部における前記バッフルが当接する面の投影面にかかる裏面に設けた請求項２から５のいずれか一項に記載のダンパー装置。
【請求項７】
前記フレームにおける短手の一方の側壁に、前記駆動部を取付ける取付け部を設け、前記側壁における長手側壁と取付け部が交差する角部に、前記フレームの長手方向に延びる拡面部を設けた請求項１から６のいずれか一項に記載のダンパー装置。
【請求項８】
少なくとも前記拡面部と連続する長手側壁の中間部分を、長手側壁の幅が小さくなる方向に切欠いた請求項７に記載のダンパー装置。
【請求項９】
前記切欠きに伴い、前記長手側壁と拡面部で形成される角部および前記長手側壁と短手側壁で形成される角部に、所定の面積を形成する角フランジを設けた請求項８に記載のダンパー装置。
【発明の詳細な説明】
【技術分野】
【０００１】
本発明は、開口部をバッフルにより開閉させるダンパー装置で、物品貯蔵装置に設けられ、特に冷蔵庫内部の冷風の風路を開閉して、温度を調整するダンパー装置に関するものである。
【背景技術】
【０００２】
従来から冷蔵庫庫内にある複数の冷蔵室温度を制御する手段として、冷却器から各冷蔵室へ通じる冷気の風路をバッフルにて開閉し、各冷蔵室に流入する冷気量を制御するダンパー装置が採用されており、これらは大別して１つの駆動源により１つのバッフルを動作させる方式と、１つの駆動源により２つのバッフルを動作させる方式がある。
【０００３】
１つの駆動源により１つのバッフルを動作させる方式は、モータの回転制御により１つの開口部を開閉動作させるもので、この代表的なダンパー装置として、特許文献１に記載されたものが知られている。
【０００４】
図５から図７は、特許文献１に記載された従来のダンパー装置を示すもので、図５は従来のダンパー装置の正面図、図６は同従来のダンパー装置を裏から見た背面図、図７は同従来のダンパー装置の一部断面構成を含む平面図である。
【０００５】
図５から図７に示すように、このダンパー装置は樹脂製のフレーム１０１とフレーム１０１に設けられた開口部１０２と、開口部１０２を形成する開口形成部１０１ａと、フレーム１０１の側面に設けられた側壁１０１ｂと、開口部１０２の周囲に設けられた突出部１０３と、開口部１０２を開閉するバッフル１０４と、バッフル１０４に貼り付けられたソフトテープ１０５と、フレーム１０１の側面に配置されたバッフル１０４を開閉動作させる駆動部１０６とから構成されている。
【０００６】
ここで、駆動部１０６には、モータ（図示せず）と、モータの回転を減速し、バッフル１０４に連結された回転軸１０７に伝達する減速機構（図示せず）が内蔵されている。
【０００７】
そして、ダンパー装置は、駆動部１０６に内蔵されたモータの駆動によってバッフル１０４が所定角度の範囲で正逆転方向に回転することにより、開口部１０２が開閉され、気流の流通あるいは遮断を制御することができる構成となっている。
【特許文献１】特開２００３−３２２４５５号公報
【発明の開示】
【発明が解決しようとする課題】
【０００８】
しかしながら、上記従来の構成は、フレーム１０１の側壁１０１ｂの一端に開口形成部１０１ａと突出部１０３を有し、断面が略コの字形状となっているために、樹脂成形時の冷却のバランスが悪く、開口形成部１０１ａおよび突出部１０３を具備しない側に比較して冷却が遅くなり、その冷却の遅延によってフレーム１０１全体が破線で示す如く湾曲し易い構成であった。
【０００９】
上述の如くフレーム１０１に湾曲（反り）が発生した状態でバッフル１０４等を組込んだ場合、バッフル１０４の閉塞状態であってもバッフル１０４（ソフトテープ１０５）と突出部１０３の間に隙間が生じ、この隙間から冷気（気体）が漏れる等の不具合が発生するものであった。
【００１０】
特に、かかるダンパー装置を冷蔵庫等の冷気制御に用いた場合は、庫内の温度を確実に制御することができなくなるという課題を有していた。
【００１１】
また、上記従来の構成において、薄型を図るためにフレーム１０１における側壁１０１ｂの幅（奥行）寸法Ｔを小さくすることが考えられるが、上述の如く、側壁１０１ｂの一端に開口形成部１０１ａおよび突出部１０３を設けた構成であることから、前述の反りの課題を解決することはできない。
【００１２】
本発明は、上記従来の課題を解決するもので、バッフルの閉時のシール性を確実なものとし、さらに、冷蔵庫等の気流制御に用いた場合であっても信頼性が高い温度制御が行え、また、小型で安価なダンパー装置を提供することを目的とする。
【課題を解決するための手段】
【００１３】
上記従来の課題を解決するために、本発明のダンパー装置は、ダンパー装置を構成するフレームを、少なくとも前記開口部を形成する板状の開口形成部と、前記開口形成部の相対する縁に設けられた側壁を具備する構成とし、前記側壁を、所定幅の板状とし、幅の略中央部において前記開口形成部の縁を接続する構成としたものである。
【００１４】
かかることにより、側壁の一端に構成部が偏って形成されることがなく、側壁の両端における樹脂成型時の冷却速度が略均一化され、その結果、冷却速度のアンバランスに起因するフレームの撓み、変形を抑制することができる。
【００１５】
また、開口部を長手と短手を有する矩形とし、開口形成部に、側壁と平行であって開口部の長手方向に延びるリブを設けることによって、フレームにおける側壁および開口形成部の補強が可能となり、特にフレームにおける長手方向の強度の向上がはかれ、その結果、側壁の幅が薄くでき、ダンパー装置の小型化が図れるものである。
【発明の効果】
【００１６】
本発明のダンパー装置は、バッフルの全閉時におけるシール性を確実なものとし、信頼性を高めることができるものである。また、そのダンパー装置を冷蔵庫等の物品貯蔵装置の温度制御用として用いた場合、信頼性の高い温度制御作用を得ることができ、また、小型化が可能なダンパー装置であるため、冷蔵庫等の物品貯蔵装置の収納容積を必要以上に抑制することもないものである。
【発明を実施するための最良の形態】
【００１７】
請求項１に記載の発明は、開口部を有する樹脂製のフレームと、前記開口部を開閉するバッフルと、前記バッフルを駆動する駆動部を具備したダンパー装置において、前記フレームを、少なくとも前記開口部を形成する板状の開口形成部と、前記開口形成部の相対する縁に設けられた側壁を具備する構成とし、前記側壁は、所定幅の板状であって、幅の略中央部において前記開口形成部の縁が接続されているダンパー装置としたものである。
【００１８】
これによって、側壁の一端に構成部が偏って形成されることがなく、側壁の両端における樹脂成型時の冷却速度が略均一化され、その結果、冷却速度のアンバランスに起因するフレームの撓み、変形を抑制することができる。
【００１９】
したがって、バッフルの全閉状態におけるシール性が確保でき、冷蔵庫等の物品貯蔵装置に組込んだ場合、信頼性の高い温度制御作用を得ることができるものである。
【００２０】
請求項２に記載の発明は、請求項１に記載の発明において、前記開口部を長手と短手を有する矩形とし、開口形成部に、前記側壁と平行であって前記開口部の長手方向に延びるリブを設けたものである。
【００２１】
これによって、長手方向におけるフレームの補強が可能となり、フレームの強度向上がはかれ、さらにその補強により、フレームの幅を可能な限り薄くでき、さらにはフレームの肉厚を薄くすることが可能となる。その結果、ダンパー装置を、小型で安価なものとすることができる。
【００２２】
請求項３に記載の発明は、請求項２に記載の発明において、前記リブを、少なくとも前記開口部の三辺を囲むように設けたものである。
【００２３】
これによって、フレームの縦横方向の補強がはかれ、フレームのねじれに対する強度の向上が可能となり、フレームの幅を一層薄くすることが可能となり、より安価なダンパー装置とすることができる。
【００２４】
請求項４に記載の発明は、請求項１から３のいずれか一項に記載の発明において、前記開口形成部における直交する前記側壁によって形成される角部に、前記角部を含み略三角形の空間を形成する角リブを設けたものである。
【００２５】
これによって、フレームの角部の補強がより強固に行え、その結果、フレームのねじれに対する強度の向上が可能となり、フレームの幅ならびに肉厚をより薄くすることが可能となる。
【００２６】
請求項５に記載の発明は、請求項４に記載の発明において、前記角リブの略中央に前記リブの一端が接続される構成としたものである。
【００２７】
かかる構成とすることにより、フレームのさらなる補強が可能となり、特にリブと角リブの連結により、フレームのねじれに対する強度を向上することができるものである。
【００２８】
請求項６に記載の発明は、請求項２から５のいずれか一項に記載の発明において、前記リブを、前記開口形成部における前記バッフルが当接する面の投影面にかかる裏面に設けたものである。
【００２９】
かかる構成とすることにより、バッフルが当接する裏面を補強のためのスペースに利用でき、しかもバッフルが当接する投影面にかかる範囲にリブを設けるため、リブを設けるためのスペースを新たに確保する必要が無く、ダンパー装置の小型化が図れるものである。さらに、開口縁部の補強を兼ねることができ、平板状の開口形成部の補強も図ることができ、開口形成部の撓みが抑制でき、バッフルの全閉時におけるシール性を安定して確保することができる。
【００３０】
請求項７に記載の発明は、請求項１から６のいずれか一項に記載の発明において、前記フレームにおける短手の一方の側壁に、前記駆動部を取付ける取付け部を設け、前記側壁における長手側壁と取付け部が交差する角部に、前記フレームの長手方向に延びる拡面部を設けたものである。
【００３１】
かかる構成によれば、拡面部の形成により、ダンパー装置の取付け時における取付け面積、例えばダクト側面との当接面積が確保でき、ダンパー装置の取付けを安定した構成とすることができる。
【００３２】
請求項８に記載の発明は、請求項７に記載の発明において、少なくとも前記拡面部と連続する長手側壁の中間部分を、長手側壁の幅が小さくなる方向に切欠いたものである。
【００３３】
かかる構成とすることにより、長手側壁の幅寸法を小さくすることができ、材料使用量の削減、およびダンパー装置の小型化が可能となり、また短手側壁の幅寸法は適宜確保できるため、短手側壁側においても、ダンパー装置の取付け時における取付け面積、例えばダクト側面との当接面積が確保でき、ダンパー装置の取付けを安定した構成とすることができる。
【００３４】
請求項９に記載の発明は、請求項８に記載の発明において、前記切欠きに伴い、前記長手側壁と拡面部で形成される角部および前記長手側壁と短手側壁で形成される角部に、所定の面積を形成する角フランジを設けたものである。
【００３５】
かかる構成とすることにより、拡面部と側壁の補強と取付け面の増大がはかれ、ダンパー装置のより安定した取付けが行え、さらには側壁と拡面部の連結補強に起因してフレームの補強が可能となるものである。
【００３６】
以下、本発明の実施の形態について説明する。なお、この実施の形態によって本発明が限定されるものではない。
【００３７】
（実施の形態１）
図１は本発明の実施の形態１におけるダンパー装置の一部を切欠いた正面図、図２は同実施の形態のダンパー装置を裏側から見た背面図、図３は図１のＡ−Ａ線断面図、図４は同実施の形態のダンパー装置における一部断面構成を示す平面図である。
【００３８】
図１乃至図４において、ダンパー装置１は、内部に減速機構等を具備するギヤードタイプのモータ、そのモータの出力軸に設けられた出力歯車、その出力歯車に噛み合い、モータの回転を減速出力する減速機構等（いずれも図示せず）を具備した駆動部２と、駆動部２を取付ける取付け部３と、取付け部３と直角方向に延出したフレーム４を具備した構成である。
【００３９】
ここで、駆動部２は、その側壁の一部に電源接続用のコネクタ部２ａが設けられており、また、駆動部２の減速出力構造は、周知の構成でよいため、ここでは詳細な説明を省略する。
【００４０】
取付け部３とフレーム４は、樹脂材料からなり、金型成形加工によって形成される。そして、フレーム４は、所定の幅寸法Ｔで取付け部３を含み矩形の４辺を形成する如く、一対の長手側壁４ａ，４ｂと、短手４ｃを具備している。さらに、フレーム４には、４辺で形成される空間面内に、略中央部に大きく矩形の開口部５を具備した板状の開口形成部６が一体に設けられている。
【００４１】
開口形成部６は、長手、短手の各側壁４ａ，４ｂ，４ｃの幅方向における略中央部に設けられており、したがって、各側壁４ａ，４ｂ，４ｃの両端は、平面状に延出した形状となっている。
【００４２】
さらに、取付け部３と短手側壁４ｃの間には、開口部５を開閉するバッフル７が取付けられている。具体的には、バッフル７の一端に両側に軸部が設けられており、この軸部がバッフル７の一端側（ここでは説明の便宜上上端側とする）に軸支されている。バッフル７における取付け部３側は、駆動部２より延出した駆動軸２ｂと嵌合する雌型の軸部７ａが形成され、短手側壁４ｃ側は、短手側壁４ｃに形成された軸穴に嵌合する雄型の軸部７ｂが形成された構成となっている。
【００４３】
また、バッフル７における開口形成部６と対向する面には、弾性を有するソフトフォーム８が設けられており、バッフル７の全閉状態においては、ソフトフォーム８によって開口部５が塞がれるように構成されている。
【００４４】
さらに、開口部５の周囲には、バッフル７側に突出する当り部９が一体に形成されている。したがって、バッフル７の閉塞状態においては、ソフトフォーム８が当り部９に当接し、ソフトフォーム８の弾性変形作用にてバッフル７の閉塞状態のシール性を確保することができる構成となっている。
【００４５】
また、開口形成部６には、開口部５を挟み、長手側壁４ａ，４ｂと平行であって開口部５の長手方向に延びる横リブ１０，１１と、取付け部２と略平行に位置し、リブ１０，１１を連結するように延びる縦リブ１２が設けられている。
【００４６】
したがって、開口部５は、縦横のリブ１０，１１，１２によってその三辺が囲まれた形となっている。
【００４７】
さらに、横リブ１１と縦リブ１２の交差部に近い側壁４ａで形成される角部には、角部を含み略三角形の空間を形成する角リブ１３が設けられている。そして、角リブ１３の略中央に横リブ１１と縦リブ１２が連結している。
【００４８】
また、各リブ１０，１１，１２は、開口形成部６におけるバッフル７が当接する面の投影面（図１の一点鎖線枠）Ｗ内に概ね収まる位置に設けられている。かかることにより、開口部６に近い位置での補強となり、各リブ１０，１１，１２を必要以上に大きくすることも抑制できるが、必ずしも投影面Ｗ内に収める必要はない。
【００４９】
さらに、長手側壁４ａにおける取付け部３が交差する角部には、取付け部３より長手側壁４ａ方向に延びる拡面部１４が取付け部３および長手側壁４ａと面一となるように設けられている。
【００５０】
そして、拡面部１４と連続する長手側壁４ａの中間部分は、長手側壁４ａの幅Ｔが小さくなる方向にｔ寸法切欠いた形状となっている（図４）。また、長手側壁４ａと対向する長手側壁４ｂの幅寸法も、同様に短手側壁４ｃの幅寸法Ｔよりも小さな寸法に形成されている。
【００５１】
さらに、長手側壁４ａ，４ｂの幅寸法の縮小に伴い、長手側壁４ａと拡面部１４で形成される角部および長手側壁４ｂと短手側壁４ｃで形成される角部には、所定の面積を形成する角フランジ１５，１６が設けられている。
【００５２】
以上のように構成されたダンパー装置１の動作について説明する。
【００５３】
バッフル７は、上述の如く駆動部２の動力を受け、駆動軸２ｂによって所定角度の範囲で往復回動し、開口部５を全閉状態から全開状態、全開状態から全閉状態の動作を行う。また必要に応じてその途中でバッフル７の回動を停止し、流通する空気の量を制御することもできる。かかる動作は、周知の動作内容であるので、詳細な説明を省略する。
【００５４】
したがって、上記構成からなるダンパー装置１は、バッフル７の回転動作により、開口部５を開閉することができるため、例えば冷蔵庫等の冷気通路内、ダクト内に配置されることにより、冷気の流通（流量）を制御し、貯蔵室内の温度を略一定に維持することができる。
【００５５】
また、上記ダンパー装置１は、上記構成により以下の特徴を有するものである。
【００５６】
すなわち、フレーム４を構成する長手側壁４ａ，４ｂおよび短手側壁４ｃが所定幅Ｔの板状に形成され、幅の略中央部において開口形成部６の縁が接続された構成であるため、従来の如く側壁４ａ，４ｂ，４ｃの一端に構成部が偏って形成されることがなく、側壁４ａ，４ｂ，４ｃの幅方向両端における樹脂成型時の冷却速度が略均一化され、その結果、冷却速度のアンバランスに起因するフレーム４の撓み、変形を抑制することができる。
【００５７】
したがって、バッフル７の全閉状態においては、ソフトフォーム８が開口部５の周縁に設けた当り部９に略均一に当接し、シール性を確保するものである。その結果、かかるダンパー装置８を、冷蔵庫等の物品貯蔵装置に組込んだ場合、信頼性の高い温度制御作用を得ることができるものである。
【００５８】
また、開口部５は、長手と短手を有する矩形であり、開口形成部６に、長手側壁４ａ、４ｂと平行であって開口部５の長手方向に延びる横リブ１０，１１を設けたことにより、長手方向におけるフレーム４の補強が可能となり、フレーム４の強度向上を図ることができる。さらにその補強により、フレームの幅を可能な限り薄くでき、さらにはフレーム４の肉厚を薄くすることが可能となる。その結果、ダンパー装置１を小型で安価なものとすることができる。
【００５９】
さらに、横リブ１０，１１に加えて縦リブ１２を設け、これらのリブ１０，１１，１２を少なくとも開口部５の三辺を囲むように配置したことにより、フレーム４の縦横方向の補強がはかれ、フレーム４のねじれに対する強度の確保が可能となる。その結果、フレーム４の幅を一層薄くすることが可能となり、より安価なダンパー装置１とすることができる。
【００６０】
また、開口形成部６における直交する長手側壁４ｂと取付け部３によって形成される角部に、角部を含み略三角形の空間を形成する角リブ１３を設けたことにより、フレーム４の角部の補強がより強固に行え、その結果、フレーム４のねじれに対する強度をさらに確保することができ、フレーム４の幅Ｔならびに肉厚をより薄くすることが可能となる。
【００６１】
しかも、角リブ１３の略中央に、縦リブ１２と横リブ１１の一端が接続されているため、フレーム４のさらなる補強が可能となり、特にリブ１１，１２と角リブ１３の連結により、フレーム４のねじれに対する強度を一層向上することができるものである。
【００６２】
さらに、縦横のリブ１０，１１，１２は、開口形成部６におけるバッフル７が当接する面の投影面Ｗ内の範囲において、バッフル７とは反対の裏面に設けているため、バッフル７が当接する面の裏面を補強のためのスペースに利用でき、しかもバッフルが当接する投影面Ｗにかかる範囲に各リブ１０，１１，１２を設けているため、各リブ１０，１１，１２を設けるためのスペースを新たに確保する必要が無く、ダンパー装置１の小型化が図れるものである。さらに、開口部５周縁の補強を兼ねることができ、平板状の開口形成部６の補強も図ることができ、開口形成部６の撓みが抑制でき、バッフル７の全閉時におけるシール性をさらに安定して確保することができる。
【００６３】
また、フレーム４における短手の一方の側壁に、駆動部２を取付ける取付け部３を設け、側壁における長手側壁４ａと取付け部３が交差する角部に、フレームの長手方向に延びる拡面部１４を設けたことにより、ダンパー装置１の取付け時における取付け面積、例えば図３、図４の破線ハッチング部で示すダクト側面との当接面積が確保でき、ダンパー装置の取付けを安定した構成とすることができる。
【００６４】
さらに、拡面部１４と連続する長手側壁４ａの中間部分を、ｔ寸法切欠き、長手側壁４ａの幅Ｔを小さくすることにより、材料使用量の削減、およびダンパー装置１の小型化が可能となり、また、長手側壁４ｂの幅も小さくでき、前述の効果を助長することができる。さらに、長手側壁４ａ，４ｂとは別に短手側壁４ｃの幅寸法Ｔは適宜確保できるため、短手側壁側においても、ダンパー装置１の取付け時における取付け面積、例えば、図３および図４に示す如く、ダクト側面との当接面積が確保でき、ダンパー装置の取付けを安定した構成とすることができる。
【００６５】
また、切欠きに伴い、長手側壁４ａと拡面部１４で形成される角部および長手側壁４ａと短手側壁４ｃで形成される角部に、所定の面積を形成する角フランジ１５，１６を設けたことにより、拡面部１４と長手側壁４ａの補強と前述の如くダンパー装置１の取付け面の増大がはかれ、ダンパー装置１のより安定した取付けが可能となる。さらには、長手側壁４ａと拡面部１４の連結補強に起因してフレーム４の補強が可能となるものである。
【００６６】
以上のように、本実施の形態１におけるダンパー装置１は、金型樹脂成型される構成において、反り等が極めて生じ難い構成であり、バッフル７の特に全閉時におけるシール性を確実なものとし、高い信頼性を得ることができる。また、小型軽量化が可能であり、必要最小限の形態として安価に製造することができるものである。
【産業上の利用可能性】
【００６７】
以上のように、本発明にかかるダンパー装置は、流体通路を開閉し、流体の供給制御を行う用途に広く適用できる。
【図面の簡単な説明】
【００６８】
【図１】本発明の実施の形態１におけるダンパー装置の一部を切欠いた正面図
【図２】同実施の形態のダンパー装置を裏側から見た背面図
【図３】図１のＡ−Ａ線断面図
【図４】同実施の形態のダンパー装置における一部断面構成を示す平面図
【図５】従来のダンパー装置の正面図
【図６】同従来のダンパー装置を裏から見た背面図
【図７】同従来のダンパー装置における一部断面構成を示す平面図
【符号の説明】
【００６９】
１    ダンパー装置
２    駆動部
３    取付け部
４    フレーム
４ａ  長手側壁
４ｂ  長手側壁
４ｃ  短手側壁
５    開口部
６    開口形成部
７    バッフル
９    当り部
１０  横リブ
１１  横リブ
１２  縦リブ
１３  角リブ
１４  拡面部
１５  角フランジ
１６  角フランジ
【図１】
2008309409.tif 000003
【図２】
2008309409.tif 000004
【図３】
2008309409.tif 000005
【図４】
2008309409.tif 000006
【図５】
2008309409.tif 000007
【図６】
2008309409.tif 000008
【図７】
2008309409.tif 000009